(57)【要約】【課題】  高変倍ズームレンズ、特に変倍比が４倍程度あるいはこれを４倍を越えるコンパクトカメラ用ズームレンズにおいて、小型で、しかも色収差が全焦点距離域で良好に補正されたズームレンズを得る。【解決手段】  物体側より順に、正のパワーを有する第１レンズ群と、正のパワーを有する第２レンズ群と、負のパワーを有する第３レンズ群との少なくとも３つのレンズ群を備え、短焦点側から長焦点側へズーミングするとき、これらの３つのレンズ群がいずれも物体側へ移動するズームレンズにおいて、正の第１レンズ群は、少なくとも１組の貼合せレンズを有し、正の第２レンズ群は、少なくとも２組の貼合せレンズを有し、全系として、少なくとも３組の貼合せレンズを有し、かつ、下記条件式（１）及び（２）を満足する。（１）４．３＜ｍ3T＜６（２）６０＜ν'3N但し、ν'3N：第３レンズ群中の負レンズのアッベ数。【選択図】  図１
2004199099.tif 000002
【特許請求の範囲】
【請求項１】
物体側より順に、正のパワーを有する第１レンズ群と、正のパワーを有する第２レンズ群と、負のパワーを有する第３レンズ群との少なくとも３つのレンズ群を備え、短焦点側から長焦点側へズーミングするとき、これらの３つのレンズ群がいずれも物体側へ移動するズームレンズにおいて、正の第１レンズ群は、少なくとも１組の貼合せレンズを有し、正の第２レンズ群は、少なくとも２組の貼合せレンズを有し、全系として、少なくとも３組の貼合せレンズを有し、かつ、下記条件式（１）及び（２）を満足する高変倍ズームレンズ。
（１）４．３＜ｍ3T＜６
（２）６０＜ν'3N
但し、ν'3N：第３レンズ群中の非貼合せ負レンズのアッベ数。
【発明の詳細な説明】
【技術分野】
【０００１】
本発明は、高変倍ズームレンズ、特にバックフォーカスの小さいコンパクトカメラ用のズームレンズに関し、特に４倍程度の変倍比（ズーム比）を持ちながら小型で色収差が良好に補正されたズームレンズに関する。
【背景技術】
【０００２】
従来、コンパクトカメラ用ズームレンズは、高変倍比化が図られているが、高変倍といっても、本出願人の出願に係る特開平２−７３２１１号のように、変倍比が３倍以下のものがほとんどであった。変倍比が３倍あるいは４倍程度に達する、より高い変倍比のズームレンズが要求されているが、このような高変倍ズームレンズでは、長焦点距離端における全長をより短くするべく小型化すると、特に短焦点距離側と長焦点距離側の色収差が反対方向に発生し、これを全焦点距離域に渡って補正することが困難であった。
【特許文献１】特開平２−７３２１１号
【発明の開示】
【発明が解決しようとする課題】
【０００３】
本発明は、高変倍ズームレンズ、特に変倍比が４倍程度あるいはこれを４倍を越えるコンパクトカメラ用ズームレンズであって、小型で、しかも色収差が全焦点距離域で良好に補正されたズームレンズを得ることを目的とする。
【課題を解決するための手段】
【０００４】
本発明のズームレンズは、物体側より順に、正のパワーを有する第１レンズ群と、正のパワーを有する第２レンズ群と、負のパワーを有する第３レンズ群との少なくとも３つのレンズ群を備え、短焦点側から長焦点側へズーミングするとき、これらの３つのレンズ群がいずれも物体側へ移動するズームレンズにおいて、正の第１レンズ群は、少なくとも１組の貼合せレンズを有し、正の第２レンズ群は、少なくとも２組の貼合せレンズを有し、全系として、少なくとも３組の貼合せレンズを有し、かつ、条件式（１）及び（２）を満足することを特徴としている。
（１）４．３＜ｍ3T＜６
（２）６０＜ν'3N
但し、ν'3N：第３レンズ群中の非貼合せ負レンズのアッベ数、である。
【発明の効果】
【０００５】
本発明によれば、４倍程度、あるいは４倍を越える変倍比を持つズームレンズであっても、小型化を可能にし、色収差補正が良好なレンズを得ることができる。
【発明を実施するための最良の形態】
【０００６】
本発明のズームレンズは、物体側から順に、少なくとも正、正、負の３つのレンズ群を備えている。このように、正、正、負の３群構成を採用したのは、高変倍化と小型化を図り、かつレンズ群移動量を小さくするためである。本発明は、この正、正、負の３群構成において、特にその第１レンズ群を、負、正、正の３枚のレンズから構成した。その理由は、諸収差を補正すると同時に、第１レンズ群に、従来のこのタイプのズームレンズと比べて比較的大きい正のパワーを持たせることを可能とし、もってズーミング移動量を少なくさせ、小型化を達成できるからである。
【０００７】
条件式（１）は、長焦点距離端における負の第３レンズ群の横倍率に関する条件であり、４倍程度あるいは４倍を越える高変倍のズームレンズを得るための条件である。条件式（１）の下限を越えると、４倍程度の高変倍化を達成するには第２レンズ群及び第３レンズ群の移動量が大きくなり、小型化が達成できない。上限を越えると、負の第３レンズ群のパワーが過大となり、変倍に伴う収差の変動が大きく、また第３レンズ群の構成が複雑化する。さらに正の第２レンズ群のパワーも大きくせざるを得ず、第２レンズ群の構成もまた複雑化してしまう。レンズ構成の複雑化は、製作誤差による性能劣化を大きくしてしまう。
【０００８】
第３レンズ群は、非貼合せレンズから構成することが可能であって、この場合には、次の条件式（２）を満足するような低分散ガラスを使うのがよい。
（２）６０＜ν'3N
但し、ν'3N：第３レンズ群中の非貼合せ負レンズのアッベ数、である。
【０００９】
以下、具体的な数値実施例について本発明を説明する。１ないし３の全ての実施例において、基本的なレンズ構成は、物体側から順に、正のパワーの第１レンズ群１Ｇ、正のパワーの第２レンズ群２Ｇ、絞Ｓ、負のパワーの第３レンズ群３Ｇからなっている。絞Ｓは、第２レンズ群２Ｇと一体に移動する。第１レンズ群１Ｇは、全ての実施例において、物体側から順に、負レンズ、正レンズ、及び正レンズからなり、物体側の負レンズと正レンズは貼り合わされている。第２レンズ群２Ｇは、全ての実施例において、物体側から順に、負のパワーを有する負正の貼合せレンズ、正のパワーを有する負正の貼合せレンズ、及び正レンズからなっている。第３レンズ群３Ｇは、実施例１ないし３では、正レンズと負レンズからなっている。
【実施例１】
【００１０】
図１は、本発明の高変倍ズームレンズの第１の実施例のレンズ構成図を示し、図２、図３、図４はそれぞれ、短焦点距離端、中間焦点距離、長焦点距離端における諸収差図である。レンズデータを表１に示す。
【００１１】
（表１）
FNO=1:4.5-9.3-12.5
f=39.30-103.98-155.02 
W=28.1-11.5-7.8 
fB=9.56-53.13-86.38 
面 No.     R             d               Nd             νd
1       -23.810         2.00            1.73400         51.5
2        74.090         3.88            1.48749         70.2
3       -20.097         0.10             -               - 
4        33.281         3.76            1.48749         70.2
5      -105.921   3.11-19.10-23.09       -               - 
6       -15.966         1.50            1.83481         42.7
7        20.339         2.30            1.84666         23.8
8       117.876         0.10             -               - 
9        22.771         2.60            1.84666         23.8
10       14.683         2.58            1.56883         56.3
11      -39.810         0.10             -               - 
12       88.891         2.65            1.58913         61.2
13 ＊   -18.242         1.00             -               -
絞        ∞      18.21-5.57-2.30        -               - 
14 ＊   -31.463         4.00            1.58547         29.9 
15      -20.701         4.04             -               - 
16      -13.000         2.00            1.61800         63.4
17      189.593           -              -               - 
＊は非球面を表す。
Ｋ      Ａ４            Ａ６           Ａ８          Ａ１０    Ａ１２
No.13;  0.0   0.45197×10-4  -0.68199 ×10-7  0.20809 ×10-8   0.0       0.0
No.14;  0.0   0.32729×10-4  -0.33728 ×10-7  0.12831 ×10-8   0.0       0.0
【実施例２】
【００１２】
図５は、本発明の高変倍ズームレンズの第２の実施例のレンズ構成図を示し、図６、図７、図８はそれぞれ、短焦点距離端、中間焦点距離、長焦点距離端における諸収差図である。レンズデータを表２に示す。
【００１３】
（表２）
FNO=1:4.5-9.3-12.5
f=39.30-104.00-155.02 
W=28.2-11.5-7.8 
fB=11.06-55.81-90.45
面 No.     R             d                Nd            νd
1       -25.252         2.00            1.76200         40.1
2       199.328         3.68            1.51742         52.4
3       -22.457         0.10             -               - 
4        34.401         3.69            1.48749         70.2
5       -88.478   3.12-17.01-20.19       -               - 
6       -16.150         1.50            1.83481         42.7
7        20.459         3.75            1.84666         23.8
8       131.509         0.10             -               - 
9        22.182         2.60            1.84666         23.8
10       14.056         2.58            1.56883         56.3
11      -42.251         0.10             -               - 
12       99.714         2.62            1.58913         61.2
13 ＊   -18.566         1.00             -               -
絞        ∞      17.65-5.39-2.30        -               - 
14 ＊   -42.021         2.32            1.58547         29.9 
15      -21.663         3.10             -               - 
16      -13.000         2.00            1.61800         63.4
17       81.676           -               -               - 
＊は非球面を表す。
Ｋ      Ａ４            Ａ６           Ａ８          Ａ１０    Ａ１２
No.13;  0.0   0.45130×10-4  -0.77045 ×10-7  0.14613 ×10-8   0.0       0.0
No.14;  0.0   0.39120×10-4  -0.42549 ×10-7  0.13687 ×10-8   0.0       0.0
【実施例３】
【００１４】
図９は、本発明の高変倍ズームレンズの第３の実施例のレンズ構成図を示し、図１０、図１１、図１２はそれぞれ、短焦点距離端、中間焦点距離、長焦点距離端における諸収差図である。レンズデータを表３に示す。
【００１５】
（表３）
FNO=1:4.5-9.3-12.5
f=39.30-103.99-155.00 
W=28.2-11.5-7.8 
fB=10.99-56.15-91.00
面 No.     R             d                Nd             νd
1       -24.609         2.00            1.80100         35.0
2       259.597         3.61            1.56732         42.8
3       -22.348         0.10             -               - 
4        35.400         3.69            1.48749         70.2
5       -91.937   3.31-16.89-20.09       -               - 
6       -16.232         1.50            1.83481         42.7
7        19.900         3.86            1.84666         23.8
8       121.900         0.10             -               - 
9        21.918         2.60            1.84666         23.8
10       13.858         2.58            1.56883         56.3
11      -42.285         0.10             -               - 
12       96.536         2.63            1.58913         61.2
13 ＊   -18.711         1.00             -               -
絞        ∞      17.71-5.40-2.30        -               - 
14 ＊   -38.445         2.32            1.58547         29.9 
15      -20.798         3.17             -               - 
16      -13.000         2.00            1.61800         63.4
17       85.936          -               -               - 
＊は非球面を表す。
Ｋ      Ａ４            Ａ６           Ａ８          Ａ１０    Ａ１２
No.13;  0.0   0.44408×10-4  -0.91376 ×10-7  0.17896 ×10-8   0.0       0.0
No.14;  0.0   0.37413×10-4  -0.76145 ×10-7  0.17857 ×10-8   0.0       0.0
【００１６】
次に、実施例１ないし３の各条件式に対する値を表４に示す。
（表４）
実施例           １      ２      ３
条件式(１)      4.51    4.69    4.69 
条件式(２)     63.4    63.4    63.4 
【００１７】
表４から明らかなように、実施例１ないし実施例３はすべての条件式を満足している。各実施例のズームレンズは、変倍比が４倍程度のズームレンズでありながら、小型で各収差図中の色収差も比較的よく補正されている。
【図面の簡単な説明】
【００１８】
【図１】本発明による高変倍ズームレンズの第１の実施例のレンズ構成図である。
【図２】図１のレンズ系の短焦点距離端における諸収差図である。
【図３】図１のレンズ系の中間焦点距離における諸収差図である。
【図４】図１のレンズ系の長焦点距離端における諸収差図である。
【図５】本発明による高変倍ズームレンズの第２の実施例のレンズ構成図である。
【図６】図５のレンズ系の短焦点距離端における諸収差図である。
【図７】図５のレンズ系の中間焦点距離における諸収差図である。
【図８】図５のレンズ系の長焦点距離端における諸収差図である。
【図９】本発明による高変倍ズームレンズの第３の実施例のレンズ構成図である。
【図１０】図９のレンズ系の短焦点距離端における諸収差図である。
【図１１】図９のレンズ系の中間焦点距離における諸収差図である。
【図１２】図９のレンズ系の長焦点距離端における諸収差図である。
【図１】
2004199099.tif 000003
【図２】
2004199099.tif 000004
【図３】
2004199099.tif 000005
【図４】
2004199099.tif 000006
【図５】
2004199099.tif 000007
【図６】
2004199099.tif 000008
【図７】
2004199099.tif 000009
【図８】
2004199099.tif 000010
【図９】
2004199099.tif 000011
【図１０】
2004199099.tif 000012
【図１１】
2004199099.tif 000013
【図１２】
2004199099.tif 000014